(57)【要約】【課題】ホームネットワーク環境における、映像保存サーバーのデータの軽減すること目的とし、ユーザー操作の簡易化や、他のユーザーからの秘守や、ユーザーの人数の変更によるシステムの再構築が必要ない、ネットワーク映像録画再生装置を構成する。【解決手段】映像及び音声データなどのデータを受信ならびに送信を行うデータ送受信手段と、該送受信データを記録する映像記録手段と、該映像記憶手段に記憶されたデータの再生及び表示などの読み出しを行う際のユーザーの管理するデータ管理手段と、該データ管理手段に対して、該呼び出しデータの読み出しや、録画予約などの操作を行う時に、ユーザーの識別が可能な識別手段を有する操作要求手段と、該送信要求手段等からの送信要求や映像記録手段からの再生データなどを各々の手段に伝送するネットワーク手段とを有する。【選択図】        図１
2004336461.tif 000002
【特許請求の範囲】
【請求項１】
リモコンに個々のＩＤを設けて、ホームネットワークにリモコン毎にアクセス可能な番組予約情報を保持し、他のリモコンを用いた場合には、非表示となることを特徴とするネットワーク映像録画再生装置。
【請求項２】
上記１のシステムにおいて、複数のリモコンから同一の番組の録画予約があった場合、映像データを共有することを特徴とするネットワーク映像録画再生装置。
【請求項３】
上記２のシステムにおいて、録画予約を行った全てのリモコンによる再生、或いは録画解除（削除）操作が行われるまで録画した映像データを保存することを特徴とするネットワーク映像録画再生装置。
【請求項４】
上記１のシステムにおいて、どのリモコンでも予約の確認及び録画された映像の再生が可能な共有の予約記憶域を設けたことを特徴とするネットワーク映像録画再生装置。
【請求項５】
上記４のシステムにおいて、共有領域の録画映像を全てのリモコンによる確認操作が終了するまで、消去しないことを特徴とするネットワーク映像録画再生装置。
【発明の詳細な説明】
【０００１】
【発明の属する技術分野】
本発明は、ホームネットワーク環境における映像保存サーバーの映像保存データの軽減した、ネットワーク映像録画再生装置に関するものである。
【０００２】
【従来の技術】
家庭で用いられるシステムでは、操作の容易性やコストの低減が求められる。従来のコンピュータで使用されているクライアントサーバーシステムではユーザー名とパスワードを入力しなければ、操作が禁止される。このようなシステムでは、導入時に、システムの設定が必要となる。また、使用時にはユーザー名とパスワードを覚えておく必要があり、操作が煩雑になる。
【０００３】
また、ユーザーが、同一の番組を予約した場合、映像及び音声データは、共有することにより記憶装置の効率化が図れるが、従来のコンピュータで使用されているクライアントサーバーシステムでは、ユーザー個々でファイルアクセスが決められているため、あるユーザーが、映像及び画像データを消去すると、他のユーザーが視聴することができなくなる。
【０００４】
そこで、家庭内におけるファイルアクセス管理方式に関して生じる問題点を解決するために、特開２０００−２３５５４６に記載されたサーバークライアントシステムが提案されている。
【０００５】
上記提案のサーバークライアントシステムでは、複数の利用者が同時に１台にクライアントにログインを可能にしている。サーバーでは、映像及び音声データに予め登録された利用者毎のアクセスの可否を示す利用者属性ビットを付加されている。付加された利用者属性ビットに対応する全員がファイル削除操作を行うことにより削除作業がなされる。また、番組予約を行う場合には、ユーザーが操作により録画する場合やユーザーの好みに応じて、映像及び音声データを着おきした場合でも、利用者属性ビットを付加する。
【０００６】
ユーザーは、クライアントから複数人がログイン可能であり、同時にログインした複数人の利用者ビットの積和或いは論理和の結果を用いて、録画された番組の確認が可能である。
【０００７】
【発明が解決しようとする課題】
しかしながら、このようなシステムでは、ログアウトを忘れてしまうと、他のユーザーに録画情報を見られてしまう。
【０００８】
また、ユーザーの人数により利用者属性ビットのビット数が変わるため、システムの再構築が必要になる。あるいは、システムの拡張を考えて予め予備の利用者属性ビットを設ける必要があり、データ保存領域の効率低下を招く。
【０００９】
更に、集合住宅などの複数の家族での使用には適さない問題点があった。
【００１０】
【課題を解決するための手段】
上記の課題を解決するために本発明によるネットワーク映像録画再生装置は以下の構成を備える。
【００１１】
即ち、映像及び音声データなどのデータを受信ならびに送信を行うデータ送受信手段と、該送受信データを記録する映像記録手段と、該映像記憶手段に記憶されたデータの再生及び表示などの読み出しを行う際のユーザーの管理するデータ管理手段と、該データ管理手段に対して、該呼び出しデータの読み出しや、録画予約などの操作を行う時に、ユーザーの識別が可能な識別手段を有する操作要求手段と、該送信要求手段等からの送信要求や映像記録手段からの再生データなどを各々の手段に伝送するネットワーク手段とを有する。
【００１２】
【発明の実施の形態】
図１は、本実施例にかかるネットワーク映像録画再生装置の構成図である。図２は、チューナー１．２の構成図である。図３は、ＴＶ１．５及び１．５．１の構成図である。図４はリモコン１．６及び１．６．１の構成図である。
【００１３】
以下では、本図を参照しながら本ネットワークシステムにおけるネットワーク映像録画再生装置の基本的動作を説明する。
【００１４】
種々のデータを取り扱う機器が、相互に接続されたネットワーク１．４をかいしてデータ、例えば、放送映像や、番組表などのＥＰＧ情報や、音楽情報などのデジタル化されたデータ（以下、映像データと呼ぶ）がやり取りされる。該ネットワークを構成する各機器はＩＥＥＥ１３９４に代表されるネットワーク規格及びプロトコルにより物理的に接続性が保たれて、それらが予め設定された範囲で、自由にネットワークに接続、離脱、移動等が可能である。また、ネットワークインタフェース規格を満足するか、或いは変換機能を有する装置を付加することが可能で相互接続性が保たれるならば、構成を制限しない。さらに、本実施例では、構成の機器として独立、或いは分離して記載しているが、物理的に同一あるいは独立である場合がある。また、本実施例では、説明を簡単にするために、図１のチューナー１．２やＶＴＲ１．７などは１台で構成をしているが、複数台で構成する場合もある。
【００１５】
本発明は、ホームネットワーク環境における、映像録画再生システムにおいて、ユーザーが個々に所有するリモコン１．６及び１．６．１を用いて、録画予約及び再生操作を行い、同一の番組の録画予約を複数のユーザーが行った場合、該当する録画番組データを共有し、各録画予約者の全員が再生或いは削除操作を行った後に、該当する番組データを消去する。
【００１６】
また、各リモコン１．６及び１．６．１で予約した情報は、各リモコン１．６及び１．６．１の操作により確認ができる。
【００１７】
確認を行うためには、各リモコン１．６及び１．６．１の各々に割り振られた識別コード（ＩＤ）により予約情報の表示確認を行うため、他のリモコン１．６及び１．６．１が予約した情報は、確認できない。
【００１８】
また、全てのリモコン１．６及び１．６．１で、予約及び確認が可能な共有予約機能を設けることにより、代理予約が可能となるネットワーク映像録画再生装置システムを実現することにある。
【００１９】
【実施例】
［実施例１］
以下、図面を参照して本発明の実施例について説明する。
【００２０】
本発明のシステムを家庭に導入した場合を例に説明する。
本例の家庭の家族構成は、父、母、子供の３人で構成されている。
【００２１】
それぞれが、父＝１、母＝２のＩＤを有し、子供が視聴する番組を両親が共有予約している。父母は、リモコン１．６及び１．６．１を有しているものとする。リモコンにＩＤが付加されているため、ユーザーは、自分がどのＩＤを使用しているか知る必要がない。以下、特に記載がない場合は、ここで示した３人家族による構成をあり、ＩＤにも変更はない。
【００２２】
録画予約をする場合、各自のリモコンを用いて、今回の例では父がＩＤ：１のリモコン１．６を用いる。父は、ＩＤ：１のリモコン１．６によりリモコン１．６からの入力操作をネットワーク１．４へ伝送できるインタフェースを有するＴＶ１．５装置に向かいコマンド送る。送られたコマンドは、コマンドを受信したＴＶ１．５が送信宛の装置であるチューナー１．２へネットワーク１．４をかいして送信する。
【００２３】
チューナー１．２で受け取ったコマンドが、録画予約確認で場合、対応するＩＤ：１の録画予約情報をコマンドの送り先であるＴＶ１．５に表示可能な形式で、ネットワーク１．４をかいして返信する。
【００２４】
また、コマンドが、録画予約であった場合、録画予約情報を保存して、作業が完了或いは、何らかの問題により作業が完了しなかった場合は、父に判るように、コマンドの送り先であるＴＶ１．５に、表示できる形式で送り返す。
【００２５】
また、コマンドが、再生要求であれば、要求に対応する録画された映像情報をコマンドの送り先のＴＶ１．５に送る。
【００２６】
また、コマンドが、消去要求であれば、要求に対応する録画されたの映像情報を削除し、作業が完了或いは、何らかの問題により作業が完了しなかった場合は、父に判るように、コマンドの送り先であるＴＶ１．５に、表示できる形式で返信する。
【００２７】
また、コマンドが、録画された映像をＶＴＲ１．７への転送コマンドの場合は、要求に対応する録画されたの映像情報を、指定されたＶＴＲ１．７に転送する。ＶＴＲ１．７へは、チューナー１．２から録画指示のコマンドが発せられ、映像情報を受信と同時に録画を開始する。
【００２８】
上記の画面に表示できる形式は、画面情報であっても、文字情報であっても、ＴＶ１．５で表示されればどちらでも良い。作業の開始或いは、テープの準備ができていない等の何らかの問題により作業が開始しなかった場合は、父に判るように、コマンドの送り先であるＴＶ１．５に、表示できる形式で送り返す。
【００２９】
以上述べたように情報をやり取りしながら、父への要求への対応やメッセージの表示を行いながら動作する。
【００３０】
上記チューナー１．２は、アンテナ１．１の受信した電波を外部入力２．１で受け取る。外部入力２．１では、受け取った電波から再生を希望するチャンネルに選局する。選局された映像データは、送受信部２．２に送られる。
【００３１】
送受信部２．２では、選局された映像データが、一時保存する、録画予約データならば、記憶部２．５に送り、ＴＶ１．５により選局されている映像データならば表示を要求しているＴＶ１．５に映像データを送信する。また、送受信部２．２は、ＴＶ１．５が録画予約データの再生を要求している場合、記憶部２．５から該当する映像データをＴＶ１．５に送信する。
【００３２】
更に、送受信部２．２、ネットワーク１．４からの要求を受け取り、制御部２．４に要求を送る。
【００３３】
制御部２．４では、送受信部２．２から受け取った要求に従い、外部入力２．１に対して、再生するチャネルの変更を行う。また記憶部２．５に対して、再生する画像の管理や、録画予約の受け付け、及び録画予約の確認を記憶部２．５から、送信させる。また、送受信部２．２に対して、記憶部２．５からの再生データの再生先の指示や、再生先の情報の管理を行う。
【００３４】
リモコン１．６は、父がキー入力部４．１を操作して、その操作に基づく要求は操作要求送信部４．２をかいして、ネットワーク１．４に接続された機器に送る。この場合、操作の伝送手段は、物理的に接続されたケーブル手段であっても、赤外線で代表されるケーブルレス手段を用いても良い。
【００３５】
ネットワーク１．４に接続されたＴＶ１．５は、リモコン１．６からの要求を操作要求受信部３．２から受け取る。受け取った操作要求は、送受信部３．１をかいして、ネットワーク１．４に接続された対応機器に送る。前述対応機器に送られた操作要求に対する、対応機器からの反応や、チューナー１．２に映像データを送受信部３．１から受け取り、表示部３．２で表示する。
【００３６】
父は、リモコン操作による操作要求が正常に受け付けられたか、リモコン１．６の要求を受信したＴＶ１．５の表示にて確認できる。
【００３７】
チューナーの動作について、図５のフローチャートを用いて説明すると、まず、Ｓｕｂ５．１から処理を開始する。
【００３８】
判断５．２でネットワークからの操作要求があるか判断を行う。
【００３９】
判断の結果、チューナー１．２に対して要求がないならば、この処理を抜ける。
【００４０】
チューナー１．２に対して要求がある場合、要求の種別を判断し、各々に対応する処理を行う。
【００４１】
判断５．３でチャネル再生の要求であるかを判断する。
【００４２】
判断５．３結果が、チャネル再生要求の場合、判断５．１０で再生先に指定されている装置がＶＴＲ１．７に代表される録画媒体を変更可能な装置（以下ＶＴＲと呼ぶ）なのか、ＴＶ１．５及び１．５．１のように映像の視聴を目的とする装置（以下ＴＶと呼ぶ）なのか判断する。但し、ＴＶに遅延再生のための取り外しできない記憶装置を有する場合もＴＶに含まれる。
【００４３】
判断５．１０の結果で再生先が、ＶＴＲ１．７などの録画装置ならば、処理５．１２でＶＴＲ１．７へ録画開始を送信し、録画された映像データをＶＴＲ１．７に転送する。ＴＶ１．５ならば、処理５．１１で要求の送信元のＴＶ１．５に対して映像を転送する。
【００４４】
チャネル再生の要求でない場合、次に判断５．４で録画予約の要求か確認する。判断５．４の結果が、録画要約であった場合、処理５．１３で要求された番組の予約を行うために予約情報を記憶し、処理５．１４で処理結果を送信元の表示装置に送信する。処理結果としては、予約が受理された場合や、チューナーに空きがなく、予約が受理されなかったなどの情報が要求を送信したＴＶ１．５に表示される。このとき他のユーザーが同じ番組を予約していた場合、予約の処理結果は、予約が受理されたときと同じ表示となる。
【００４５】
判断５．４の結果が、録画予約の要求でない場合、次に判断５．５で予約確認の要求か確認する。
【００４６】
判断５．５の結果が、予約確認の要求であった場合、処理５．１５及び処理５．１６で要求を送信したリモコン１．６から送信されたＩＤを用いて、予約情報を表示する。更に、共有部分の予約情報も同時に要求が送信されたＴＶ１．５に対して送信する。
判断５．５の結果が、要求が予約確認でない場合、次に判断５．６で録画再生の要求か確認する。
【００４７】
判断５．６の結果が、録画再生の要求であった場合、処理５．１７でリモコン１．６からの要求を送信したＴＶ１．５に対して、要求された録画番組の映像データを送信する。
【００４８】
判断５．６の結果が、要求が録画再生の要求でない場合、次に判断５．７で録画をＶＴＲ１．７へ録画する要求か確認する。
【００４９】
判断５．７の結果が、ＶＴＲ１．７への録画の要求であった場合、判断５．１８において要求で指定のあったＶＴＲ１．７に対して、テープの有無など、ＶＴＲ１．７の録画準備情報をＶＴＲ１．７に対して要求をする。判断５．１８でＶＴＲ１．７の準備ができていなければ、処理５．２１で、その主旨のエラー情報をリモコンからの要求を送信したＴＶ１．５に対して送る。判断５．１８の結果、ＶＴＲ１．７の予約準備ができていれば、処理５．１９で録画開始と指定された映像データを該当するＶＴＲ１．７に送る。続き、処理５．２０でリモコンからの要求を送信したＴＶ１．５に、ＶＴＲ録画が正常に作業を実行している主旨の表示を送る。
【００５０】
判断５．７の結果が、ＶＴＲ１．７への録画の要求でない場合、判断５．８でコマンドがサポート外のコマンドであるか判断を行い、判断５．８の結果が、コマンドがサポート外のコマンドの場合、処理５．２１でその主旨のエラー表示をリモコンからの要求を送信したＴＶ１．５に対して送る。
【００５１】
判断５．８の結果が、コマンドがサポート外のコマンドではなく、その他のコマンドの場合、例えば、日付や時間の変更など各種設定のコマンドは、処理５．９でそのコマンドに対応した処理を行い、Ｅｘｉｔ５．２２でこの要求の処理を抜ける。
【００５２】
上記例では、父がリモコン１．６とＴＶ１．５の組み合わせを用いたが、母のリモコン１．６．１やＴＶ１．５．１．の任意の組み合わせでも同様に動作する。
【００５３】
次に、父と母の録画予約の確認を行う時の表示と保存されているデータは、図に示すようになる。
【００５４】
ＴＶ１．５への表示では、自分のリモコン１．６で予約した情報と、共有の予約で設定した情報を分けて表示を行う。今回の例では、上段に、個々のリモコン１．６  １の予約情報を表示し、下段に共有予約した情報が表示される。
【００５５】
本例では、父のリモコン１．６において、Ａ番組、Ｂ番組、Ｃ番組と、母のリモコン１．６．１において、Ａ番組、Ｄ番組、Ｅ番組と、子供が視聴する予定の番組を共有予約として、Ｅ番組が録画予約されている。
【００５６】
各番組内容は、リモコン視聴予約データとして保存されており、リモコン１．６或いは１．６．１の要求により、ＴＶ１．５或いは１．５．１に表示される。リモコン視聴予約データには、日時、チャンネル、番組名と録画映像データの保存アドレスが記憶されている。
【００５７】
録画映像データには、録画された映像データと予約している人の人数が保存されている。
【００５８】
人数は、Ａ番組の場合、父母共に予約を行っているので、２が入る。ＢからＤ番組は父母何れかのしか予約を行っていないので、１が入り、Ｅ番組のように共有の予約の場合は、登録されているリモコンの数である２が入る。
【００５９】
［実施例２］
以下、図面を参照して本発明の実施例２について説明する。
【００６０】
図８は、複数家族で構成される集合住宅に適応させた例である。本例の図では３つの家庭８．１及び８．２及び８．３で構成されている。
【００６１】
放送電波は、アンテナ１．１をかいして、チューナー１．２に入力される。放送電波はチューナー１．２によって、各チャネルの映像や音声や文字データの信号に変換される。以下、特に記載の無い場合は、変換された映像、音声、文字データ−の信号を映像信号と呼ぶ。変換された映像信号は、チューナー１．２から各家庭８．１及び８．２及び８．３へと送られる。また、チューナー１．２に予め録画予約されている場合は、映像信号を保存する。各家庭８．１及び８．２及び８．３に送られる。本例では家庭１８．１代表して説明するが、他の家庭２８．２及び家庭３８．３でも同様の動作である。チューナー１．２からネットワーク１．４をかいして送られてくる映像信号は、家庭１８．１の入出力を管理するブリッジ８．１．１を通して送られ、家庭１８．１に送られる。家庭１８．１で映像を要求したテレビ８．１．４やＶＴＲ８．１．３は、家庭内ネットワーク８．１２をかいしブリッジ８．１．１から映像信号を受け取る。
【００６２】
家庭１８．１では、リモコン８．１．５からの要求は、テレビ８．１．４から家庭内ネットワーク８．１２かいして送信され、その要求の処理結果をテレビ８．１．４に表示する。
【００６３】
リモコン８．１．５からの要求の流れは、リモコン８．１．５からテレビ８．１．４へと要求が送られる。
【００６４】
テレビ８．１．４は、リモコン８．１．５から受け取った要求を、家庭内８．１からの出口であるブリッジ８．１．１に家庭内ネットワーク８．１２かいして送る。
【００６５】
ブリッジ８．１．１は、テレビ８．１．４から受け取った要求を、ネットワーク１．４をかいして、チューナー１．２へ送る。
【００６６】
チューナー１．４は、受け取った要求に従い処理を行う。例えば、処理要求が予約録画の場合、要求による時間及びチャネルを記憶し、リソースに矛盾が無ければ、要求を正常に受け取った主旨のメッセージを返し、他のユーザーによりリソースに空きが無い場合、要求が許可されなかった主旨のメッセージを返す。
【００６７】
要求を送ってきたブリッジ８．１．１に、要求に対応するメッセージを返す。
【００６８】
ブリッジ８．１．１は、チューナー１．２からのメッセージをリモコンからの要求を送信したテレビ８．１．４に送る。
【００６９】
ブリッジ８．１．１からメッセージを受信したテレビ８．１．４は、受信したメッセージをリモコン８．１．５で操作したユーザーに見せるために表示する。
【００７０】
テレビ８．１．４の表示にて、ユーザーは、リモコン８．１．５の操作による要求の可否を表示により確認が可能となる。
【００７１】
上記ブリッジの構成を図９の構成図を用いて説明する。
【００７２】
家庭内部の家庭内ネットワーク８．１．２に接続するための家庭内接続部９．３とチューナー１．２などのネットワーク１．４に接続するための外部接続部９．４を有し、家庭内からのリモコン８．１．５等からの要求やチューナー１．２からの映像情報などの管理や制御を行う制御部９．１とネットワーク１．４や家庭内ネットワーク８．１．２に接続された機器の情報などを保存する記憶部９．２から構成される。
【００７３】
次に、図１０のフローチャートを用いてブリッジ８．１．１の制御フローを説明する。
まず、Ｓｕｂ１０．１から始まる。
【００７４】
判断１０．２でブリッジ８．１．１は、家庭からの要求とチューナー１．２からの要求のどちらからの要求かを判断し、家庭からの要求と判断した場合、処理１０．３で送信元を記憶部９．２に保存する。
【００７５】
続き処理１０．４で保存した送信元を、自分自身のブリッジ８．１．１に書き換えて、送信元に成り代わる。
【００７６】
そして、処理１０．５で要求をチューナー１．２に送信してＥｘｉｔ１０．１１で抜ける。
【００７７】
判断１０．２及び判断１０．６の結果、チューナー１．２からの要求と判断した場合、処置９．７で予め送信した要求の送信元を記憶部９．２から呼びだす。
【００７８】
処理１０．８でチューナー１．２からの要求の送信先をブリッジ８．１．４から記憶部９．２に保存してあった、家庭内の送信元に変更して要求を送信する。
【００７９】
判断１０．９で要求の送信データが終了か判断し、要求が終了で無い場合、記憶部９．２に保存してあった送信元をそのままにしてＥｘｉｔ１０．１１で抜ける。
【００８０】
判断１０．９の結果が、要求が終了の場合、処理１０．１０で記憶部９．２に保存してあった送信元を削除してＥｘｉｔ１０．１１で抜ける。
【００８１】
以上のように動作し、ブリッジ８．１．４は、家庭内の機器にとっては、仮想チューナーの動作をして、チューナー１．２にとっては、仮想ＴＶやＶＴＲなどの動作をすることにより、チューナー１．２や家庭内の機器を変更することなく、複数家庭のシステムにも対応できる。
【００８２】
本システムでは、チューナー１．２での共有録画では、全ての家庭で視聴できるの、会合やお知らせなどの情報を管理者が使用することも可能である。
【００８３】
更にリモコンのＩＤの変更処理も行うことにより、家庭内の複数リモコンの共有も可能となる。
【００８４】
【発明の効果】
上記の構成によれば、ホームネットワーク環境における映像サーバーの映像データ共有により使用容量の軽減や操作の簡易化を実現できる。
【００８５】
また、チューナーのシステムを変更すること、拡張することが可能である。
【図面の簡単な説明】
【図１】システム構成図
【図２】チューナーの構成図
【図３】テレビの構成図
【図４】リモコンの構成図
【図５】チューナーの動作フローチャート
【図６】録画予約確認画面
【図７】録画予約保存データ
【図８】複数家族システム構成図
【図９】ブリッジの構成図
【図１０】ブリッジの動作フローチャート
【符号の説明】
１．１  アンテナ
１．２  チューナー
１．４  伝送線
１．５  テレビ１
１．５．１  テレビ２
１．６  リモコン１
１．６．１  リモコン２
１．７  ＶＴＲ
２．１  外部入力
２．２  送受信部
２．３  制御部
２．４  記憶部
３．１  送受信部
３．２  操作要求受信部
３．３  表示部
４．１  操作要求送信部
４．２  キー入力部
５．１  Ｓｕｂ
５．２  要求の判断
５．３  チャネルの再生判断
５．４  録画予約の判断
５．５  予約確認の判断
５．６  録画再生の判断
５．７  録画をＶＴＲに転送する判断
５．８  コマンドエラーの判断
５．９  その他の処理を
５．１０  再生先は録画装置か判断
５．１１  要求の送信元のＴＶに映像を転送
５．１２  指定された装置に録画開始と映像を転送
５．１３  予約情報を記憶
５．１４  処理の結果を要求を送信
５．１５  送られてきたＩＤを確認
５．１６  ＩＤに対応する予約情報を送信
５．１７  要求の送信元のＴＶに再生要求映像を転送
５．１８  ＶＴＲの準備を判断
５．１９  指定先のＶＴＲに映像を転送
５．２０  指定された装置に録画開始と映像を転送
５．２１  ＶＴＲエラー表示
５．２２  操作要求がエラーを送信
５．２３  Ｅｘｉｔ
６．１  父のリモコン視聴予約確認表示
６．１．１  父の視聴予約情報
６．１．２  パブリック予約情報
６．２  母のリモコン視聴予約確認表示
６．１．１  母の視聴予約情報
６．１．２  パブリック予約情報
７．１  リモコン視聴予約データ
７．１．１  リモコン１の視聴予約データ
７．１．２  リモコン１の視聴予約データ
７．１．３  パブリックの視聴予約データ
７．２  録画映像データ
７．２．１  映像データ
７．２．２  視聴予約個数
８．１  家庭１
８．１．１  ブリッジ
８．１．２  家庭内ネットワーク
８．１．３  ＶＴＲ
８．１．４  テレビ
８．１．５  リモコン
８．２  家庭２
８．３  家庭３
９．１  制御部
９．２  記憶部
９．３  家庭内接続部
９．４  外部接続部
１０．１  Ｓｕｂ
１０．２  チューナーへの要求の判断
１０．３  送信元を保存処理
１０．４  送信元をブリッジに変更
１０．５  要求をチューナーに送信
１０．６  チューナーからの要求の判断
１０．７  送信先をブリッジから保存されている送信元に変更
１０．８  要求を変更された送信先に送信
１０．９  要求が終了か判断
１０．１０  保存された送信元を削除
１０．１１  Ｅｘｉｔ
【図１】
2004336461.tif 000003
【図２】
2004336461.tif 000004
【図３】
2004336461.tif 000005
【図４】
2004336461.tif 000006
【図５】
2004336461.tif 000007
【図６】
2004336461.tif 000008
【図７】
2004336461.tif 000009
【図８】
2004336461.tif 000010
【図９】
2004336461.tif 000011
【図１０】
2004336461.tif 000012